(57)【要約】【課題】大掛かりにならずに荷台のアオリを所望の姿勢に保持できるアオリ姿勢保方法およびアオリ姿勢保持具を提供する。【解決手段】このオリ姿勢保持具１は、車体５の荷台５１に取り付けられている側アオリ５２の姿勢を保持するものであり、車体５側のアオリロック金物６におけるフック部６１に引っ掛けることができる孔部を有する孔部付きの板状部材１１を備えており、この板状部材１１は上記フック部６１に引っ掛けられた状態で上記アオリロック金物６におけるロック状態を形成できる板厚を有するとともに、所望の姿勢とした上記側アオリ５２と当該板状部材１１とを連結する連結体が装着される装着部１２を有する。【選択図】図２
2019162940.tif 000002
【特許請求の範囲】
【請求項１】
車体の荷台に取り付けられているアオリの姿勢を保持するアオリ姿勢保持方法であって、車体側のロック金物のフック部が露呈される段階と、孔部付きの板状部材における上記孔部を用いて当該板状部材を上記フック部に引っ掛けて上記ロック金物によるロック状態が形成される段階と、上記板状部材に連結された連結体で上記アオリの姿勢が保持される段階とを含むことを特徴とするアオリ姿勢保持方法。
【請求項２】
請求項１に記載のアオリ姿勢保持方法において、上記車体側のロック金物のフック部が露呈される段階は、上記アオリを固定するアオリロック金物におけるフック部から上記アオリが外された段階であることを特徴とするアオリ姿勢保持方法。
【請求項３】
車体の荷台に取り付けられているアオリの姿勢を保持するアオリ姿勢保持具であって、車体側のロック金物におけるフック部に引っ掛けることができる孔部を有する孔部付きの板状部材を備えており、この板状部材は上記フック部に引っ掛けられた状態で上記ロック金物におけるロック状態を形成できる板厚を有するとともに、所望の姿勢とした上記アオリと当該板状部材とを連結する連結体が装着される装着部を有することを特徴とするアオリ姿勢保持具。
【請求項４】
請求項３に記載のアオリ姿勢保持具において、上記ロック金物は上記アオリを固定するアオリロック金物であることを特徴とするアオリ姿勢保持具。
【請求項５】
請求項３または請求項４に記載のアオリ姿勢保持具において、上記孔部が形成された部位と上記装着部となる部位とが略９０度の角度で配置されていることを特徴とするアオリ姿勢保持具。
【請求項６】
請求項３〜請求項５のいずれか１項に記載のアオリ姿勢保持具において、上記装着部は、上記板状部材の他の孔部が形成された部位からなることを特徴とするアオリ姿勢保持具。
【請求項７】
請求項３〜請求項６のいずれか１項に記載のアオリ姿勢保持具において、上記装着部には、上記連結体として長さ調整ができる線状部材が装着されることを特徴とするアオリ姿勢保持具。
【発明の詳細な説明】
【技術分野】
【０００１】
この発明は、トラック等の荷台のアオリを水平等の姿勢に保持するアオリ姿勢保持方法およびアオリ姿勢保持具に関する。
【背景技術】
【０００２】
特許文献１には、トラックの荷台の側アオリを剛性が高い部材によって下側から水平状態に支持できるようにして、側アオリを荷物の固縛作業時の足場とすることができるようにした側アオリ水平保持装置が開示されている。
【先行技術文献】
【特許文献】
【０００３】
【特許文献１】特開２０１７−１２４７６７号公報
【発明の概要】
【発明が解決しようとする課題】
【０００４】
しかしながら、上記特許文献１に記載の側アオリ水平保持装置では、剛性が高い部材によって下側から水平状態に支持できるようにするため、装置が大掛かりになるという欠点があった。
【０００５】
この発明は、大掛かりにならずに荷台のアオリを所望の姿勢に保持できるアオリ姿勢保持方法およびアオリ姿勢保持具を提供する。
【課題を解決するための手段】
【０００６】
この発明のアオリ姿勢保持方法は、上記の課題を解決するために、車体の荷台に取り付けられているアオリの姿勢を保持するアオリ姿勢保持方法であって、車体側のロック金物のフック部が露呈される段階と、孔部付きの板状部材における上記孔部を用いて当該板状部材を上記フック部に引っ掛けて上記ロック金物によるロック状態が形成される段階と、上記板状部材に連結された連結体で上記アオリの姿勢が保持される段階とを含むことを特徴とする。
【０００７】
上記の方法であれば、従来のような剛性部材を用いずにアオリを所望の姿勢に保持でき、大掛かりな作業を不要にできる。
【０００８】
上記車体側のロック金物のフック部が露呈される段階は、上記アオリを固定するアオリロック金物におけるフック部から上記アオリが外された段階であってもよい。これによれば、上記アオリを外したときに利用できるアオリロック金物によってアオリを所望の姿勢に保持することができる。
【０００９】
また、この発明のアオリ姿勢保持具は、車体の荷台に取り付けられているアオリの姿勢を保持するアオリ姿勢保持具であって、車体側のロック金物におけるフック部に引っ掛けることができる孔部を有する孔部付きの板状部材を備えており、この板状部材は上記フック部に引っ掛けられた状態で上記ロック金物におけるロック状態を形成できる板厚を有するとともに、所望の姿勢とした上記アオリと当該板状部材とを連結する連結体が装着される装着部を有することを特徴とする。
【００１０】
上記の構成であれば、剛性部材を利用する大掛かりな装置を用いることなく上記側アオリ５２を所望の姿勢に保持することができる。
【００１１】
上記ロック金物は上記アオリを固定するアオリロック金物であってもよい。これによれば、上記アオリを外したときに利用できるアオリロック金物によってアオリを所望の姿勢に保持することができる。
【００１２】
上記孔部が形成された部位と上記装着部となる部位とが略９０度の角度で配置されていてもよい。これによれば、上記装着部を車体側から離間させることができ、上記連結体の取り扱い等が容易になる。
【００１３】
上記装着部は、上記板状部材の他の孔部が形成された部位からなるからなっていてもよい。これによれば、アオリ姿勢保持具の作製の容易化が図れる。
【００１４】
上記装着部には、上記連結体として長さ調整ができる線状部材が装着されるようにしてもよい。これによれば、アオリの姿勢調整の自由度を高めることができる。
【発明の効果】
【００１５】
本発明であれば、剛性部材を利用する大掛かりな装置を用いることなく上記アオリを所望の姿勢に保持することができるという効果を奏する。
【図面の簡単な説明】
【００１６】
【図１】この実施形態のアオリ姿勢保持具が用いられるトラックを示した説明図である。
【図２】図１のトラックの側アオリをアオリ姿勢保持具で姿勢保持した状態を示した説明図である。
【図３】図１のトラックのアオリロック金物を示した斜視図である。
【図４】実施形態のアオリ姿勢保持具を示した斜視図である。
【図５】図４のアオリ姿勢保持具のアオリロック金物による取り付け操作を示した説明図である。
【図６】図４のアオリ姿勢保持具のアオリロック金物による取り付け操作を示した説明図である。
【図７】図４のアオリ姿勢保持具のアオリロック金物による取り付け操作を示した説明図である。
【図８】図４のアオリ姿勢保持具のアオリロック金物による取り付け操作を示した説明図である。
【図９】図４のアオリ姿勢保持具の連結部による側アオリの姿勢保持操作を示した説明図である。
【発明を実施するための形態】
【００１７】
以下、この発明の一態様に係る実施形態を添付図面に基づいて説明する。図１および図２に示すように、この実施形態のアオリ姿勢保持具１は、トラックの車体５の荷台５１に取り付けられている側アオリ５２の姿勢を水平等に保持する。
【００１８】
上記車体５の前部側および後部側には、上記側アオリ５２を固定するアオリロック金物（エビ金物）６が取り付けられている。このアオリロック金物６は、例えば、図３にも示すように、車体５の側面部から外方向に突出し、その先端側が上方向に立ち上がるフック部６１と、このフック部６１に引っ掛けられる引っ掛け部６２と、この引っ掛け部６２を操作するレバー部６３と、このレバー部６３を回動自在に支持する水平軸部６４とを備えている。上記引っ掛け部６２は、その基端側において上記レバー部６３の水平軸に連結されており、先端側には上記フック部６１が入り込む孔部が形成されている。上記レバー部６３に設けられた水平軸６３ａは、当該レバー部６３内のバネ部６３ｂに連結されるとともに当該レバー部６３の長手方向に移動できるようになっている。上記側アオリ５２の端部に設けられている止め板部の孔部を上記フック部６１に係合させ、その上側から上記引っ掛け部６２の孔部を上記フック部６１に係合させた状態で、上記レバー部６３を下方向に押して回動させると、上記引っ掛け部６２と上記レバー部６３とが略一直線状に位置し、上記バネ部の作用でこの略一直線状の状態が保持されるロック状態が形成される。
【００１９】
また、上記レバー部６３の下部側を手前側（外方向）に引くことで上記ロック状態を解除し、上記引っ掛け部６２をフック部６１から外すことで、上記側アオリ５２を倒す（開く）ことができるようになる。
【００２０】
この実施形態のアオリ姿勢保持具１は、図４および図５に示すように、上記のフック部６１に引っ掛けることができる孔部１１ａを有する孔部付き板状部材１１を備えている。そして、この板状部材１１は、例えば、鋼板からなり、上記フック部６１に引っ掛けられた状態で上記アオリロック金物６におけるロック状態の形成に支障をきたさない薄さの板厚を有している。例えば、この板厚は、４．５ｍｍ程度とされるが、これに限らず、アオリロック金物６のサイズにもよるが、４．０ｍｍ〜６．０ｍｍの間とすることができ、望ましくは、４．０ｍｍ〜５．０ｍｍの間とすることができる。
【００２１】
また、上記板状部材１１は、所望の姿勢とした上記側アオリ５２を当該板状部材１１に連結して保持する連結体２が装着される装着部１２を一体的に有している。この装着部１２は、この実施形態では、上記板状部材１１に形成された孔部からなる。そして、上記板状部材１１において、孔部１１ａが形成された面部と上記装着部１２となる面部とが略９０度の角度で配置されている。例えば、上記板状部材１１は略Ｌ字状に屈曲形成されており、その短辺領域となる面部に上記孔部１１ａが形成され、長辺領域側の面部の先端側に上記装着部１２となる孔部が形成されている。換言すれば、上記装着部１２は、上記孔部１１ａとは異なる上記板状部材１１の他の孔部が形成された部位（領域）からなる。
【００２２】
上記連結体２は、例えば、チェーン（線状部材：金属に限らず、化学繊維等からなる帯状体でもよい。）からなる。この連結体２の一端側には、フックやＵ字状係止具等の係止具２１が設けられており、この係止具２１によって上記板状部材１１の装着部１２に連結される。また、上記連結体２は、同じくフックやＵ字状係止具等の別の係止具２２も備えている。
【００２３】
上記アオリ姿勢保持具１を用いて上記側アオリ５２の姿勢を水平等に保持するには、上記図５に示したように、上記側アオリ５２を固定するアオリロック金物６におけるフック部６１から上記側アオリ５２を外した状態を形成する。すなわち、上記アオリロック金物６のフック部６１を露呈させる。
【００２４】
そして、図６に示すように、上記フック部６１に、上記板状部材１１における上記孔部１１ａを用いて、当該板状部材１１を引っ掛ける。さらに、図７および図８に示すように、上記アオリロック金物６の上記レバー部６３を下方向に押して回動させ、上記引っ掛け部６２と上記レバー部６３とを略一直線状に位置させて、上記バネ部の作用でこの略一直線状の状態が保持されるロック状態を形成する。
【００２５】
また、図９に示すように、上記連結体２の端部を、上記側アオリ５２に形成されている開口部５２ａに上から通して折り返し、上記側アオリ５２が所望の姿勢としての水平姿勢になる状態で、上記別の係止具２２を上記連結体２の途中部に繋げることで、上記側アオリ５２の水平姿勢を保持する。
【００２６】
上記の構成であれば、剛性部材を利用する大掛かりな装置を用いることなく上記側アオリ５２を所望の姿勢に保持することができる。
【００２７】
上記側アオリ５２の姿勢保持において上記アオリロック金物６が用いられると、上記側アオリ５２を外す動作の続きで上記側アオリ５２を所望の姿勢に保持することができる。
【００２８】
上記板状部材１１において、孔部１１ａが形成された面部と上記装着部１２となる面部とが略９０度の角度をなしていると、上記装着部１２を車体５から離間させることができ、連結体２の取り扱い等が容易になる。
【００２９】
上記装着部１２が上記板状部材１１に形成された孔部からなっていると、アオリ姿勢保持具１の作製の容易化が図れる。
【００３０】
上記装着部１２に上記連結体２として長さ調整ができる線状部材が装着されると、上記側アオリ５２の姿勢調整角の自由度を高めることができる。もちろん、上記側アオリ５２の姿勢が水平姿勢のみでよいような場合には、一定長の線状部材を用いることもできる。
【００３１】
なお、上記の例では、上記連結体２を上記側アオリ５２に形成されている開口部５２ａに通して取り付けたが、これに限るものではなく、例えば、フック部材等を上記側アオリ５２にクランプ等で固定し、上記フック部材等に上記連結体２を連結するようにしてもよい。また、アオリは側アオリに限らない。また、上記アオリロック金物６とは別に設けられているロック金物或いはアオリ姿勢保持具１専用のロック金物を用いるようにしてもよい。また、孔部付き板状部材１１は金属に限らず、化学繊維等からなるものでもよい。また、上記装着部１２は上記板状部材１１と別の部材からなっていてもよい。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１      ：アオリ姿勢保持具
２      ：連結体
５      ：車体
６      ：アオリロック金物
１１    ：板状部材
１１ａ  ：孔部
１２    ：装着部
２１    ：係止具
２２    ：係止具
５１    ：荷台
５２    ：側アオリ
５２ａ  ：開口部
６１    ：フック部
６２    ：引っ掛け部
６３    ：レバー部
６３ａ  ：水平軸
６３ｂ  ：バネ部
６４    ：水平軸部
【図１】
2019162940.tif 000003
【図２】
2019162940.tif 000004
【図３】
2019162940.tif 000005
【図４】
2019162940.tif 000006
【図５】
2019162940.tif 000007
【図６】
2019162940.tif 000008
【図７】
2019162940.tif 000009
【図８】
2019162940.tif 000010
【図９】
2019162940.tif 000011